(57)【要約】  データ再送方法、装置及び端末を提供する。該方法において、設定許可ＣｏｎｆｉｇｕｒｅｄＧｒａｎｔＣｏｎｆｉｇフィールドである第１設定フィールドと、物理上り共有チャネル設定ＰＵＳＣＨ−ｃｏｎｆｉｇフィールドである第２設定フィールドとを少なくとも含む無線リソース制御ＲＲＣシグナリングを取得することと、前記端末によるＰＵＳＣＨ再送が基地局によって動的にスケジューリングされる場合、前記第１設定フィールドに含まれる設定パラメータと前記第２設定フィールドに含まれる設定パラメータとに基づいて、再送に使用されるパラメータセットを特定することと、特定されたパラメータセットに基づいてＰＵＳＣＨ再送を行うこととを含む。【選択図】  図１
2021532705.tif 000002
【特許請求の範囲】
【請求項１】
端末に応用されるデータ再送方法であって、
設定許可ＣｏｎｆｉｇｕｒｅｄＧｒａｎｔＣｏｎｆｉｇフィールドである第１設定フィールドと、物理上り共有チャネル設定ＰＵＳＣＨ−ｃｏｎｆｉｇフィールドである第２設定フィールドとを少なくとも含む無線リソース制御ＲＲＣ（Ｒａｄｉｏ  Ｒｅｓｏｕｒｃｅ  Ｃｏｎｔｒｏｌ）シグナリングを取得することと、
前記端末によるＰＵＳＣＨ再送が基地局によって動的にスケジューリングされる場合、前記第１設定フィールドに含まれる設定パラメータと前記第２設定フィールドに含まれる設定パラメータとに基づいて、再送に使用されるパラメータセットを特定することと、
特定されたパラメータセットに基づいてＰＵＳＣＨ再送を行うこととを含む、データ再送方法。
【請求項２】
特定された再送に使用されるパラメータセットは、
第１設定フィールド内の、無線リソース制御−設定上り許可ｒｒｃ−ＣｏｎｆｉｇｕｒｅｄＵｐｌｉｎｋＧｒａｎｔである第１パラメータセット以外のパラメータ、及び、
第２設定フィールド内の、第１パラメータセットに対応するパラメータを含む、請求項１に記載の方法。
【請求項３】
特定された再送に使用されるパラメータセットは、
第１設定フィールド内の変調符号化スキームテーブルｍｃｓ−Ｔａｂｌｅ及び波形設定ｔｒａｎｓｆｏｒｍＰｒｅｃｏｄｅｒ、及び、
第２設定フィールド内の、ｍｃｓ−Ｔａｂｌｅ及びｔｒａｎｓｆｏｒｍＰｒｅｃｏｄｅｒ以外のパラメータを含む、請求項１に記載の方法。
【請求項４】
特定された再送に使用されるパラメータセットは、
ｍｃｓ−Ｔａｂｌｅを含み、
第１設定フィールド内のｔｒａｎｓｆｏｒｍＰｒｅｃｏｄｅｒに対応する波形と第２設定フィールド内のｔｒａｎｓｆｏｒｍＰｒｅｃｏｄｅｒに対応する波形とは同じである場合、前記ｍｃｓ−Ｔａｂｌｅは、前記第１設定フィールド内のｍｃｓ−Ｔａｂｌｅであり、
第１設定フィールド内のｔｒａｎｓｆｏｒｍＰｒｅｃｏｄｅｒに対応する波形と第２設定フィールド内のｔｒａｎｓｆｏｒｍＰｒｅｃｏｄｅｒに対応する波形とは異なる場合、前記ｍｃｓ−Ｔａｂｌｅは、第２設定フィールド内のｔｒａｎｓｆｏｒｍＰｒｅｃｏｄｅｒに対応する波形に結びつけられたｍｃｓ−Ｔａｂｌｅであって、前記第１設定フィールド内のｍｃｓ−Ｔａｂｌｅに対応するｍｃｓ−Ｔａｂｌｅである、請求項１に記載の方法。
【請求項５】
特定された再送に使用されるパラメータセットは、
ｍｃｓ−Ｔａｂｌｅを含み、
前記第１設定フィールド内のｍｃｓ−Ｔａｂｌｅの名称が所定名称であり、又は前記端末に対して新規な無線ネットワーク一時識別子ｎｅｗ−ＲＮＴＩが設定された場合、
前記ｍｃｓ−Ｔａｂｌｅは、前記第２設定フィールド内のｔｒａｎｓｆｏｒｍＰｒｅｃｏｄｅｒに対応する波形に結びつけられた前記所定名称のｍｃｓ−Ｔａｂｌｅであり、
そうでない場合、前記ｍｃｓ−Ｔａｂｌｅは、前記第２設定フィールド内のｍｃｓ−Ｔａｂｌｅであり、
ここで、前記所定名称は、ｑａｍ６４ＬｏｗＳＥである、請求項１に記載の方法。
【請求項６】
特定された再送に使用されるパラメータセットは、
第２設定フィールド内の、ｍｃｓ−Ｔａｂｌｅ以外のパラメータを更に含む、請求項４又は５に記載の方法。
【請求項７】
特定された再送に使用されるパラメータセットは、
再送に使用される繰り返し回数を含み、
前記再送に使用される繰り返し回数は、
第１設定フィールド内の繰り返し回数Ｋと第２設定フィールド内のＰＵＳＣＨ繰り返し回数のうち大きい方の回数、第１設定フィールド内の繰り返し回数Ｋと第２設定フィールド内のＰＵＳＣＨ繰り返し回数のうち小さい方の回数、第１設定フィールド内の繰り返し回数Ｋ、及び第２設定フィールド内のＰＵＳＣＨ繰り返し回数のいずれかである、請求項１に記載の方法。
【請求項８】
特定された再送に使用されるパラメータセットは、
第２設定フィールド内の、ＰＵＳＣＨ繰り返し回数以外のパラメータを更に含む、請求項７に記載の方法。
【請求項９】
特定された再送に使用されるパラメータセットは、
第１設定フィールド内の変調符号化スキームテーブルｍｃｓ−Ｔａｂｌｅ、ｍｃｓ−ＴａｂｌｅＴｒａｎｓｆｏｒｍＰｒｅｃｏｄｅｒ、波形設定ｔｒａｎｓｆｏｒｍＰｒｅｃｏｄｅｒ、ｐ０−ＰＵＳＣＨ−ＡｌｐｈａＳｅｔのインデックスｐ０−ＰＵＳＣＨ−Ａｌｐｈａ、ｐｏｗｅｒＣｏｎｔｒｏｌＬｏｏｐＴｏＵｓｅ及びパスロス基準インデックスｐａｔｈｌｏｓｓＲｅｆｅｒｅｎｃｅＩｎｄｅｘ、及び、
第２設定フィールド内の、ｍｃｓ−Ｔａｂｌｅ、ｍｃｓ−ＴａｂｌｅＴｒａｎｓｆｏｒｍＰｒｅｃｏｄｅｒ、ｔｒａｎｓｆｏｒｍＰｒｅｃｏｄｅｒ、ｐ０−ＰＵＳＣＨ−Ａｌｐｈａ、ｐｏｗｅｒＣｏｎｔｒｏｌＬｏｏｐＴｏＵｓｅ及びｐａｔｈｌｏｓｓＲｅｆｅｒｅｎｃｅＩｎｄｅｘ以外のパラメータを含む、請求項１に記載の方法。
【請求項１０】
端末に応用されるデータ再送装置であって、
設定許可ＣｏｎｆｉｇｕｒｅｄＧｒａｎｔＣｏｎｆｉｇフィールドである第１設定フィールドと、物理上り共有チャネル設定ＰＵＳＣＨ−ｃｏｎｆｉｇフィールドである第２設定フィールドとを少なくとも含む無線リソース制御ＲＲＣシグナリングを取得するシグナリング取得モジュールと、
前記端末によるＰＵＳＣＨ再送が基地局によって動的にスケジューリングされる場合、前記第１設定フィールドに含まれる設定パラメータと前記第２設定フィールドに含まれる設定パラメータとに基づいて、再送に使用されるパラメータセットを特定するパラメータ特定モジュールと、
特定されたパラメータセットに基づいてＰＵＳＣＨ再送を行う再送モジュールとを含む、データ再送装置。
【請求項１１】
トランシーバと、メモリと、プロセッサと、前記メモリに格納されて前記プロセッサで実行可能なコンピュータプログラムとを含む端末であって、
ここで、前記トランシーバは、設定許可ＣｏｎｆｉｇｕｒｅｄＧｒａｎｔＣｏｎｆｉｇフィールドである第１設定フィールドと、物理上り共有チャネル設定ＰＵＳＣＨ−ｃｏｎｆｉｇフィールドである第２設定フィールドとを少なくとも含む無線リソース制御ＲＲＣシグナリングを取得し、
前記プロセッサは、メモリからプログラムを読み取ることによって、
前記端末によるＰＵＳＣＨ再送が基地局によって動的にスケジューリングされる場合、前記第１設定フィールドに含まれる設定パラメータと前記第２設定フィールドに含まれる設定パラメータとに基づいて、再送に使用されるパラメータセットを特定するプロセスと、
特定されたパラメータセットに基づいてＰＵＳＣＨ再送を行うプロセスとを実行する、端末。
【請求項１２】
特定された再送に使用されるパラメータセットは、
第１設定フィールド内の、無線リソース制御−設定上り許可ｒｒｃ−ＣｏｎｆｉｇｕｒｅｄＵｐｌｉｎｋＧｒａｎｔである第１パラメータセット以外のパラメータ、及び、
第２設定フィールド内の、第１パラメータセットに対応するパラメータを含む、請求項１１に記載の端末。
【請求項１３】
特定された再送に使用されるパラメータセットは、
第１設定フィールド内の変調符号化スキームテーブルｍｃｓ−Ｔａｂｌｅ及び波形設定ｔｒａｎｓｆｏｒｍＰｒｅｃｏｄｅｒ、及び、
第２設定フィールド内の、ｍｃｓ−Ｔａｂｌｅ及びｔｒａｎｓｆｏｒｍＰｒｅｃｏｄｅｒ以外のパラメータを含む、請求項１２に記載の端末。
【請求項１４】
特定された再送に使用されるパラメータセットは、
ｍｃｓ−Ｔａｂｌｅを含み、
第１設定フィールド内のｔｒａｎｓｆｏｒｍＰｒｅｃｏｄｅｒに対応する波形と第２設定フィールド内のｔｒａｎｓｆｏｒｍＰｒｅｃｏｄｅｒに対応する波形とは同じである場合、前記ｍｃｓ−Ｔａｂｌｅは、前記第１設定フィールド内のｍｃｓ−Ｔａｂｌｅであり、
第１設定フィールド内のｔｒａｎｓｆｏｒｍＰｒｅｃｏｄｅｒに対応する波形と第２設定フィールド内のｔｒａｎｓｆｏｒｍＰｒｅｃｏｄｅｒに対応する波形とは異なる場合、前記ｍｃｓ−Ｔａｂｌｅは、第２設定フィールド内のｔｒａｎｓｆｏｒｍＰｒｅｃｏｄｅｒに対応する波形に結びつけられたｍｃｓ−Ｔａｂｌｅであって、前記第１設定フィールド内のｍｃｓ−Ｔａｂｌｅに対応するｍｃｓ−Ｔａｂｌｅである、請求項１１に記載の端末。
【請求項１５】
特定された再送に使用されるパラメータセットは、
ｍｃｓ−Ｔａｂｌｅを含み、
前記第１設定フィールド内のｍｃｓ−Ｔａｂｌｅの名称が所定名称であり、又は前記端末に対して新規な無線ネットワーク一時識別子ｎｅｗ−ＲＮＴＩが設定された場合、
前記ｍｃｓ−Ｔａｂｌｅは、前記第２設定フィールド内のｔｒａｎｓｆｏｒｍＰｒｅｃｏｄｅｒに対応する波形に結びつけられた前記所定名称のｍｃｓ−Ｔａｂｌｅであり、
そうでない場合、前記ｍｃｓ−Ｔａｂｌｅは、前記第２設定フィールド内のｍｃｓ−Ｔａｂｌｅであり、
ここで、前記所定名称は、ｑａｍ６４ＬｏｗＳＥである、請求項１１に記載の端末。
【請求項１６】
特定された再送に使用されるパラメータセットは、
第２設定フィールド内の、ｍｃｓ−Ｔａｂｌｅ以外のパラメータを更に含む、請求項１４又は１５に記載の端末。
【請求項１７】
特定された再送に使用されるパラメータセットは、
再送に使用される繰り返し回数を含み、
前記再送に使用される繰り返し回数は、
第１設定フィールド内の繰り返し回数Ｋと第２設定フィールド内のＰＵＳＣＨ繰り返し回数のうち大きい方の回数、第１設定フィールド内の繰り返し回数Ｋと第２設定フィールド内のＰＵＳＣＨ繰り返し回数のうち小さい方の回数、第１設定フィールド内の繰り返し回数Ｋ、及び第２設定フィールド内のＰＵＳＣＨ繰り返し回数のいずれかである、請求項１１に記載の端末。
【請求項１８】
特定された再送に使用されるパラメータセットは、
第２設定フィールド内の、ＰＵＳＣＨ繰り返し回数以外のパラメータを更に含む、請求項１７に記載の端末。
【請求項１９】
特定された再送に使用されるパラメータセットは、
第１設定フィールド内の変調符号化スキームテーブルｍｃｓ−Ｔａｂｌｅ、ｍｃｓ−ＴａｂｌｅＴｒａｎｓｆｏｒｍＰｒｅｃｏｄｅｒ、波形設定ｔｒａｎｓｆｏｒｍＰｒｅｃｏｄｅｒ、ｐ０−ＰＵＳＣＨ−ＡｌｐｈａＳｅｔのインデックスｐ０−ＰＵＳＣＨ−Ａｌｐｈａ、ｐｏｗｅｒＣｏｎｔｒｏｌＬｏｏｐＴｏＵｓｅ及びパスロス基準インデックスｐａｔｈｌｏｓｓＲｅｆｅｒｅｎｃｅＩｎｄｅｘ、及び、
第２設定フィールド内の、ｍｃｓ−Ｔａｂｌｅ、ｍｃｓ−ＴａｂｌｅＴｒａｎｓｆｏｒｍＰｒｅｃｏｄｅｒ、ｔｒａｎｓｆｏｒｍＰｒｅｃｏｄｅｒ、ｐ０−ＰＵＳＣＨ−Ａｌｐｈａ、ｐｏｗｅｒＣｏｎｔｒｏｌＬｏｏｐＴｏＵｓｅ及びｐａｔｈｌｏｓｓＲｅｆｅｒｅｎｃｅＩｎｄｅｘ以外のパラメータを含む、請求項１１に記載の端末。
【請求項２０】
コンピュータプログラムが格納されているコンピュータ読み取り可能な記憶媒体であって、
前記コンピュータプログラムがプロセッサによって実行されると、請求項１〜９のいずれか１項に記載のデータ再送方法が実現される、コンピュータ読み取り可能な記憶媒体。
【発明の詳細な説明】
【技術分野】
【０００１】
（関連出願の相互参照）
本願は、２０１８年８月３日に中国特許庁に提出された中国特許出願２０１８１０８７８１４０．７の優先権を主張し、その全ての内容が援用によりここに取り込まれる。
本開示は、通信技術分野に係り、特にデータ再送方法、装置及び端末に係る。
【背景技術】
【０００２】
移動通信のサービスニーズの発展及び変化に伴い、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）などの複数の団体が、将来の移動通信システムについて、新しい無線通信システム５Ｇ  ＮＲ（５  Ｇｅｎｅｒａｔｉｏｎ  Ｎｅｗ  ＲＡＴ（Ｒａｄｉｏ  Ａｃｃｅｓｓ  Ｔｅｃｈｎｏｌｏｇｙ））（即ち、５Ｇ新規無線）を研究してきた。５Ｇ  ＮＲシステムでは、低遅延、高信頼通信が重要な要求であり、高信頼低遅延通信ＵＲＬＬＣ（Ｕｌｔｒａ  Ｒｅｌｉａｂｌｅ＆Ｌｏｗ  Ｌａｔｅｎｃｙ  Ｃｏｍｍｕｎｉｃａｔｉｏｎ）などの伝送方式が登場している。
【０００３】
ＵＲＬＬＣサービスの場合、ＮＲ規格では、動的スケジューリング方式がサポートされる。上り動的スケジューリング方式において、まず、基地局（ｇＮＢ）は、無線リソース制御ＲＲＣ（Ｒａｄｉｏ  Ｒｅｓｏｕｒｃｅ  Ｃｏｎｔｒｏｌ）シグナリングの物理上り共有チャネル設定ＰＵＳＣＨ−Ｃｏｎｆｉｇ（Ｐｈｙｓｉｃａｌ  Ｕｐｌｉｎｋ  Ｓｈａｒｅｄ  Ｃｈａｎｎｅｌ−Ｃｏｎｆｉｇ）を用いてＰＵＳＣＨの伝送を設定する。その後、基地局は、物理下り制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）によって、端末がＰＤＣＣＨ内の設定パラメータとＰＵＳＣＨ−Ｃｏｎｆｉｇ内の設定パラメータに従ってＰＵＳＣＨ伝送を行うようにスケジューリングする。
【０００４】
ＵＲＬＬＣサービスの場合、ＮＲ規格では、無線伝送の遅延低減のために、上りグラントフリー方式がサポートされる。上りグラントフリー方式では、まず、基地局は、ＲＲＣシグナリングの設定許可（ＣｏｎｆｉｇｕｒｅｄＧｒａｎｔＣｏｎｆｉｇ）フィールドを用いてＰＵＳＣＨの伝送を設定する。上りグラントフリー伝送が活性化された後に、端末は、ＣｏｎｆｉｇｕｒｅｄＧｒａｎｔＣｏｎｆｉｇフィールド内の設定パラメータ（及び活性化シグナリング内の設定パラメータ）に従ってＰＵＳＣＨ伝送を行う。
【０００５】
関連技術では、以下の方式が用いられている。初回伝送は、ＣｏｎｆｉｇｕｒｅｄＧｒａｎｔＣｏｎｆｉｇフィールドと活性化シグナリングに基づいて設定される上りグラントフリーを採用し、再送は、ＰＵＳＣＨ−ＣｏｎｆｉｇとＰＤＣＣＨに基づいて設定される動的スケジューリングを採用する。
【０００６】
ＮＲでは、上りグラントフリー（ｇｒａｎｔ−ｆｒｅｅ）の方法が導入されている。即ち、上り伝送に先立って、基地局にスケジューリング要求を送信する必要がなく、基地局のＰＤＣＣＨ指示を待つ必要もなく、端末自身は、上位層シグナリングによって設定されたリソースで上り送信を行うと特定する。
【０００７】
ＮＲにおける上りグラントフリー方式は、第１タイプのグラントフリー（Ｔｙｐｅ１  ｇｒａｎｔ−ｆｒｅｅ）と第２タイプのグラントフリー（Ｔｙｐｅ２  ｇｒａｎｔ−ｆｒｅｅ）とに分けられる。ＣｏｎｆｉｇｕｒｅｄＧｒａｎｔＣｏｎｆｉｇフィールドのＲＲＣ設定シグナリングは、Ｔｙｐｅ１  ｇｒａｎｔ−ｆｒｅｅ及びＴｙｐｅ２  ｇｒａｎｔ−ｆｒｅｅにも適用可能である。
【０００８】
Ｔｙｐｅ１  ｇｒａｎｔ−ｆｒｅｅのＰＵＳＣＨ伝送の場合、まず、基地局は、ＣｏｎｆｉｇｕｒｅｄＧｒａｎｔＣｏｎｆｉｇフィールドのＲＲＣ設定を行って、端末は、設定に従い、データ伝送がある場合に直接伝送を行うことで、上りデータの遅延を低減することができる。
【０００９】
Ｔｙｐｅ２  ｇｒａｎｔ−ｆｒｅｅのＰＵＳＣＨ伝送の場合、まず、基地局は、ＣｏｎｆｉｇｕｒｅｄＧｒａｎｔＣｏｎｆｉｇフィールドのＲＲＣ設定を行う。その後、基地局は、活性化シグナリングによって上り伝送を活性化する。端末は、設定に従い、活性化シグナリングを受信した後、データの送信が必要な場合に伝送することで、上りデータの遅延を低減し、リソース予約による使用率低下の問題を一部解決することができる。実際の応用では、遅延要求が特に高く、サービスデータの到着が制御可能なシーンの端末にＴｙｐｅ２  ｇｒａｎｔ−ｆｒｅｅのＰＵＳＣＨ伝送を適用し、低遅延の上りデータ伝送を実現することが考えられる。
【００１０】
ＵＲＬＬＣサービスの場合、初回伝送に上りグラントフリー方式が用いられる場合、ＰＵＳＣＨ伝送は、ＣｏｎｆｉｇｕｒｅｄＧｒａｎｔＣｏｎｆｉｇフィールド内の設定パラメータを使用する。動的スケジューリングを用いて同じデータを再送する場合、関連技術のＰＵＳＣＨ伝送は、ＰＵＳＣＨ−Ｃｏｎｆｉｇ内の設定パラメータを使用する。通常、ＰＵＳＣＨ−Ｃｏｎｆｉｇ内の設定パラメータとＣｏｎｆｉｇｕｒｅｄＧｒａｎｔＣｏｎｆｉｇフィールド内の設定パラメータは、ＰＵＳＣＨの信頼性、遅延などの異なる性能をもたらし、場合によっては衝突を引き起こす。
【発明の概要】
【発明が解決しようとする課題】
【００１１】
本開示の目的は、関連技術のＰＵＳＣＨ−Ｃｏｎｆｉｇ内の設定パラメータとＣｏｎｆｉｇｕｒｅｄＧｒａｎｔＣｏｎｆｉｇ内の設定パラメータによってＰＵＳＣＨの伝送に衝突が生じるという問題を解決するために、データ再送方法、装置及び端末を提供することにある。
【課題を解決するための手段】
【００１２】
上記問題を解決するために、本開示の実施例は、端末に応用されるデータ再送方法を提供し、該データ再送方法は、設定許可ＣｏｎｆｉｇｕｒｅｄＧｒａｎｔＣｏｎｆｉｇフィールドである第１設定フィールドと、物理上り共有チャネル設定ＰＵＳＣＨ−ｃｏｎｆｉｇフィールドである第２設定フィールドとを少なくとも含む無線リソース制御ＲＲＣ（Ｒａｄｉｏ  Ｒｅｓｏｕｒｃｅ  Ｃｏｎｔｒｏｌ）シグナリングを取得することと、前記端末によるＰＵＳＣＨ再送が基地局によって動的にスケジューリングされる場合、前記第１設定フィールドに含まれる設定パラメータと前記第２設定フィールドに含まれる設定パラメータとに基づいて、再送に使用されるパラメータセットを特定することと、特定されたパラメータセットに基づいてＰＵＳＣＨ再送を行うこととを含む。
【００１３】
ここで、特定された再送に使用されるパラメータセットは、
第１設定フィールド内の、無線リソース制御−設定上り許可ｒｒｃ−ＣｏｎｆｉｇｕｒｅｄＵｐｌｉｎｋＧｒａｎｔである第１パラメータセット以外のパラメータ、及び、
第２設定フィールド内の、第１パラメータセットに対応するパラメータを含む。
【００１４】
ここで、特定された再送に使用されるパラメータセットは、
第１設定フィールド内の変調符号化スキームテーブルｍｃｓ−Ｔａｂｌｅ及び波形設定ｔｒａｎｓｆｏｒｍＰｒｅｃｏｄｅｒ、及び、
第２設定フィールド内の、ｍｃｓ−Ｔａｂｌｅ及びｔｒａｎｓｆｏｒｍＰｒｅｃｏｄｅｒ以外のパラメータを含む。
【００１５】
ここで、特定された再送に使用されるパラメータセットは、
ｍｃｓ−Ｔａｂｌｅを含み、
第１設定フィールド内のｔｒａｎｓｆｏｒｍＰｒｅｃｏｄｅｒに対応する波形と第２設定フィールド内のｔｒａｎｓｆｏｒｍＰｒｅｃｏｄｅｒに対応する波形とは同じである場合、前記ｍｃｓ−Ｔａｂｌｅは、前記第１設定フィールド内のｍｃｓ−Ｔａｂｌｅであり、
第１設定フィールド内のｔｒａｎｓｆｏｒｍＰｒｅｃｏｄｅｒに対応する波形と第２設定フィールド内のｔｒａｎｓｆｏｒｍＰｒｅｃｏｄｅｒに対応する波形とは異なる場合、前記ｍｃｓ−Ｔａｂｌｅは、第２設定フィールド内のｔｒａｎｓｆｏｒｍＰｒｅｃｏｄｅｒに対応する波形に結びつけられたｍｃｓ−Ｔａｂｌｅであって、前記第１設定フィールド内のｍｃｓ−Ｔａｂｌｅに対応するｍｃｓ−Ｔａｂｌｅである。
【００１６】
ここで、特定された再送に使用されるパラメータセットは、
ｍｃｓ−Ｔａｂｌｅを含み、
前記第１設定フィールド内のｍｃｓ−Ｔａｂｌｅの名称が所定名称であり、又は前記端末に対して新規な無線ネットワーク一時識別子ｎｅｗ−ＲＮＴＩが設定された場合、
前記ｍｃｓ−Ｔａｂｌｅは、前記第２設定フィールド内のｔｒａｎｓｆｏｒｍＰｒｅｃｏｄｅｒに対応する波形に結びつけられた前記所定名称のｍｃｓ−Ｔａｂｌｅであり、
そうでない場合、前記ｍｃｓ−Ｔａｂｌｅは、前記第２設定フィールド内のｍｃｓ−Ｔａｂｌｅであり、
ここで、前記所定名称は、ｑａｍ６４ＬｏｗＳＥである。
【００１７】
ここで、特定された再送に使用されるパラメータセットは、
第２設定フィールド内の、ｍｃｓ−Ｔａｂｌｅ以外のパラメータを更に含む。
【００１８】
ここで、特定された再送に使用されるパラメータセットは、
再送に使用される繰り返し回数を含み、
前記再送に使用される繰り返し回数は、
第１設定フィールド内の繰り返し回数Ｋと第２設定フィールド内のＰＵＳＣＨ繰り返し回数のうち大きい方の回数、第１設定フィールド内の繰り返し回数Ｋと第２設定フィールド内のＰＵＳＣＨ繰り返し回数のうち小さい方の回数、第１設定フィールド内の繰り返し回数Ｋ、及び第２設定フィールド内のＰＵＳＣＨ繰り返し回数のいずれかである。
【００１９】
ここで、特定された再送に使用されるパラメータセットは、第２設定フィールド内のＰＵＳＣＨ繰り返し回数以外のパラメータを更に含む。
【００２０】
本開示の一部実施例において、特定された再送に使用されるパラメータセットは、
第１設定フィールド内の変調符号化スキームテーブルｍｃｓ−Ｔａｂｌｅ、ｍｃｓ−ＴａｂｌｅＴｒａｎｓｆｏｒｍＰｒｅｃｏｄｅｒ、波形設定ｔｒａｎｓｆｏｒｍＰｒｅｃｏｄｅｒ、ｐ０−ＰＵＳＣＨ−ＡｌｐｈａＳｅｔのインデックスｐ０−ＰＵＳＣＨ−Ａｌｐｈａ、ｐｏｗｅｒＣｏｎｔｒｏｌＬｏｏｐＴｏＵｓｅ及びパスロス基準インデックスｐａｔｈｌｏｓｓＲｅｆｅｒｅｎｃｅＩｎｄｅｘ、及び、
第２設定フィールド内の、ｍｃｓ−Ｔａｂｌｅ、ｍｃｓ−ＴａｂｌｅＴｒａｎｓｆｏｒｍＰｒｅｃｏｄｅｒ、ｔｒａｎｓｆｏｒｍＰｒｅｃｏｄｅｒ、ｐ０−ＰＵＳＣＨ−Ａｌｐｈａ、ｐｏｗｅｒＣｏｎｔｒｏｌＬｏｏｐＴｏＵｓｅ及びｐａｔｈｌｏｓｓＲｅｆｅｒｅｎｃｅＩｎｄｅｘ以外のパラメータを含む。
【００２１】
本開示の実施例は、端末に応用されるデータ再送装置を更に提供し、該データ再送装置は、設定許可ＣｏｎｆｉｇｕｒｅｄＧｒａｎｔＣｏｎｆｉｇフィールドである第１設定フィールドと、物理上り共有チャネル設定ＰＵＳＣＨ−ｃｏｎｆｉｇフィールドである第２設定フィールドとを少なくとも含む無線リソース制御ＲＲＣシグナリングを取得するシグナリング取得モジュールと、
前記端末によるＰＵＳＣＨ再送が基地局によって動的にスケジューリングされる場合、前記第１設定フィールドに含まれる設定パラメータと前記第２設定フィールドに含まれる設定パラメータとに基づいて、再送に使用されるパラメータセットを特定するパラメータ特定モジュールと、
特定されたパラメータセットに基づいてＰＵＳＣＨ再送を行う再送モジュールとを含む。
【００２２】
本開示の実施例は、トランシーバと、メモリと、プロセッサと、前記メモリに格納されて前記プロセッサで実行可能なコンピュータプログラムとを含む端末を更に提供する。ここで、前記トランシーバは、設定許可ＣｏｎｆｉｇｕｒｅｄＧｒａｎｔＣｏｎｆｉｇフィールドである第１設定フィールドと、物理上り共有チャネル設定ＰＵＳＣＨ−ｃｏｎｆｉｇフィールドである第２設定フィールドとを少なくとも含む無線リソース制御ＲＲＣシグナリングを取得する。
前記プロセッサは、メモリからプログラムを読み取ることによって、前記端末によるＰＵＳＣＨ再送が基地局によって動的にスケジューリングされる場合、前記第１設定フィールドに含まれる設定パラメータと前記第２設定フィールドに含まれる設定パラメータとに基づいて、再送に使用されるパラメータセットを特定するプロセスと、
特定されたパラメータセットに基づいてＰＵＳＣＨ再送を行うプロセスとを実行する。
【００２３】
ここで、特定された再送に使用されるパラメータセットは、
第１設定フィールド内の、無線リソース制御−設定上り許可ｒｒｃ−ＣｏｎｆｉｇｕｒｅｄＵｐｌｉｎｋＧｒａｎｔである第１パラメータセット以外のパラメータ、及び、
第２設定フィールド内の、第１パラメータセットに対応するパラメータを含む。
【００２４】
特定された再送に使用されるパラメータセットは、
第１設定フィールド内の変調符号化スキームテーブルｍｃｓ−Ｔａｂｌｅ及び波形設定ｔｒａｎｓｆｏｒｍＰｒｅｃｏｄｅｒ、及び、
第２設定フィールド内の、ｍｃｓ−Ｔａｂｌｅ及びｔｒａｎｓｆｏｒｍＰｒｅｃｏｄｅｒ以外のパラメータを含む。
【００２５】
ここで、特定された再送に使用されるパラメータセットは、
ｍｃｓ−Ｔａｂｌｅを含み、
第１設定フィールド内のｔｒａｎｓｆｏｒｍＰｒｅｃｏｄｅｒに対応する波形と第２設定フィールド内のｔｒａｎｓｆｏｒｍＰｒｅｃｏｄｅｒに対応する波形とは同じである場合、前記ｍｃｓ−Ｔａｂｌｅは、前記第１設定フィールド内のｍｃｓ−Ｔａｂｌｅであり、
第１設定フィールド内のｔｒａｎｓｆｏｒｍＰｒｅｃｏｄｅｒに対応する波形と第２設定フィールド内のｔｒａｎｓｆｏｒｍＰｒｅｃｏｄｅｒに対応する波形とは異なる場合、前記ｍｃｓ−Ｔａｂｌｅは、第２設定フィールド内のｔｒａｎｓｆｏｒｍＰｒｅｃｏｄｅｒに対応する波形に結びつけられたｍｃｓ−Ｔａｂｌｅであって、前記第１設定フィールド内のｍｃｓ−Ｔａｂｌｅに対応するｍｃｓ−Ｔａｂｌｅである。
【００２６】
ここで、特定された再送に使用されるパラメータセットは、
ｍｃｓ−Ｔａｂｌｅを含み、
前記第１設定フィールド内のｍｃｓ−Ｔａｂｌｅの名称が所定名称であり、又は前記端末に対して新規な無線ネットワーク一時識別子ｎｅｗ−ＲＮＴＩが設定された場合、
前記ｍｃｓ−Ｔａｂｌｅは、前記第２設定フィールド内のｔｒａｎｓｆｏｒｍＰｒｅｃｏｄｅｒに対応する波形に結びつけられた前記所定名称のｍｃｓ−Ｔａｂｌｅであり、
そうでない場合、前記ｍｃｓ−Ｔａｂｌｅは、前記第２設定フィールド内のｍｃｓ−Ｔａｂｌｅであり、
ここで、前記所定名称は、ｑａｍ６４ＬｏｗＳＥである。
【００２７】
ここで、特定された再送に使用されるパラメータセットは、第２設定フィールド内のｍｃｓ−Ｔａｂｌｅ以外のパラメータを更に含む。
【００２８】
ここで、特定された再送に使用されるパラメータセットは、
再送に使用される繰り返し回数を含み、
前記再送に使用される繰り返し回数は、
第１設定フィールド内の繰り返し回数Ｋと第２設定フィールド内のＰＵＳＣＨ繰り返し回数のうち大きい方の回数、第１設定フィールド内の繰り返し回数Ｋと第２設定フィールド内のＰＵＳＣＨ繰り返し回数のうち小さい方の回数、第１設定フィールド内の繰り返し回数Ｋ、及び第２設定フィールド内のＰＵＳＣＨ繰り返し回数のいずれかである。
【００２９】
ここで、特定された再送に使用されるパラメータセットは、第２設定フィールド内のＰＵＳＣＨ繰り返し回数以外のパラメータを更に含む。
【００３０】
本開示の一部実施例において、特定された再送に使用されるパラメータセットは、
第１設定フィールド内の変調符号化スキームテーブルｍｃｓ−Ｔａｂｌｅ、ｍｃｓ−ＴａｂｌｅＴｒａｎｓｆｏｒｍＰｒｅｃｏｄｅｒ、波形設定ｔｒａｎｓｆｏｒｍＰｒｅｃｏｄｅｒ、ｐ０−ＰＵＳＣＨ−ＡｌｐｈａＳｅｔのインデックスｐ０−ＰＵＳＣＨ−Ａｌｐｈａ、ｐｏｗｅｒＣｏｎｔｒｏｌＬｏｏｐＴｏＵｓｅ及びパスロス基準インデックスｐａｔｈｌｏｓｓＲｅｆｅｒｅｎｃｅＩｎｄｅｘ、及び、
第２設定フィールド内の、ｍｃｓ−Ｔａｂｌｅ、ｍｃｓ−ＴａｂｌｅＴｒａｎｓｆｏｒｍＰｒｅｃｏｄｅｒ、ｔｒａｎｓｆｏｒｍＰｒｅｃｏｄｅｒ、ｐ０−ＰＵＳＣＨ−Ａｌｐｈａ、ｐｏｗｅｒＣｏｎｔｒｏｌＬｏｏｐＴｏＵｓｅ及びｐａｔｈｌｏｓｓＲｅｆｅｒｅｎｃｅＩｎｄｅｘ以外のパラメータを含む。
【００３１】
本開示の実施例は、コンピュータプログラムが格納されているコンピュータ読み取り可能な記憶媒体を更に提供し、前記コンピュータプログラムがプロセッサによって実行されると、上記データ再送方法が実現される。
【発明の効果】
【００３２】
本開示の上記技術手段は以下の有益な効果を有する。
本開示の実施例に係るデータ再送方法、装置及び端末において、初回伝送に上りグラントフリーが使用され、再送に動的スケジューリングが使用されるＰＵＳＣＨ伝送方式では、ＰＵＳＣＨを再送する際に使用されるパラメータセットを、ＣｏｎｆｉｇｕｒｅｄＧｒａｎｔＣｏｎｆｉｇとＰＵＳＣＨ−ｃｏｎｆｉｇ内の対応するパラメータに基づいて特定することによって、サービスデータの上りグラントフリーによる初回伝送と動的スケジューリングによる再送とが異なる性能を有するという問題を解決し、初回伝送か再送かにかかわらずＰＵＳＣＨ伝送の信頼性、遅延などの性能が保証されることを実現する。
【図面の簡単な説明】
【００３３】
【図１】本開示の実施例に係るデータ再送方法のステップのフロチャートである。
【図２】本開示の実施例に係るデータ再送装置の構造図である。
【図３】本開示の実施例に係る端末の構造図である。
【発明を実施するための形態】
【００３４】
本開示の解決しようとする技術課題、技術手段及び利点をより明確にするために、以下、図面及び具体的な実施例を参照しながら詳細に説明する。
【００３５】
図１に示すように、本開示の実施例は、端末に応用されるデータ再送方法を提供し、以下のステップを含む。
【００３６】
ステップ１１において、設定許可ＣｏｎｆｉｇｕｒｅｄＧｒａｎｔＣｏｎｆｉｇフィールドである第１設定フィールドと、物理上り共有チャネル設定ＰＵＳＣＨ−ｃｏｎｆｉｇフィールドである第２設定フィールドとを少なくとも含む無線リソース制御ＲＲＣシグナリングを取得する。
【００３７】
本ステップで、基地局は、第１設定フィールド及び第２設定フィールドを異なるＲＲＣシグナリングでそれぞれ設定してもよく、第１設定フィールド及び第２設定フィールドを同じＲＲＣシグナリングで設定してもよいが、ここで、特に限定しない。
【００３８】
一実施例として、基地局は、Ｔｙｐｅ１  ｇｒａｎｔ−ｆｒｅｅ及びＴｙｐｅ２  ｇｒａｎｔ−ｆｒｅｅを含む上りグラントフリー伝送のために、端末に必要なＣｏｎｆｉｇｕｒｅｄＧｒａｎｔＣｏｎｆｉｇフィールドを設定する。基地局は、上り動的スケジューリングのために、端末に必要なＰＵＳＣＨ−ｃｏｎｆｉｇフィールドを設定する。Ｔｙｐｅ２  ｇｒａｎｔ−ｆｒｅｅに対応して、基地局は、端末に活性化シグナリングを更に送信する必要がある。
【００３９】
ステップ１２において、前記端末によるＰＵＳＣＨ再送が基地局によって動的にスケジューリングされる場合、前記第１設定フィールドに含まれる設定パラメータと前記第２設定フィールドに含まれる設定パラメータとに基づいて、再送に使用されるパラメータセットを特定する。
【００４０】
ステップ１２の前に、Ｔｙｐｅ１  ｇｒａｎｔ−ｆｒｅｅについて、端末は、ＣｏｎｆｉｇｕｒｅｄＧｒａｎｔＣｏｎｆｉｇフィールドを付帯するＲＲＣシグナリングに基づいて、直接ＰＵＳＣＨの初回伝送を行う。Ｔｙｐｅ２  ｇｒａｎｔ−ｆｒｅｅについて、端末は、ＣｏｎｆｉｇｕｒｅｄＧｒａｎｔＣｏｎｆｉｇフィールドを付帯するＲＲＣシグナリングと活性化シグナリングとに基づいて、ＰＵＳＣＨの初回伝送を行う必要がある。
【００４１】
一実施例として、ステップ１２では、基地局は、端末によるＰＵＳＣＨ再送を、ＰＤＣＣＨの動的スケジューリングによってスケジューリングし、端末は、基地局の動的スケジューリングを受けると、第１設定フィールドと第２設定フィールドに基づいて、再送に使用されるパラメータセットを特定する。
【００４２】
ステップ１３において、特定されたパラメータセットに基づいてＰＵＳＣＨ再送を行う。
【００４３】
なお、上記ＰＵＳＣＨにサービスデータを付帯し、基地局が動的スケジューリング方式でサービスデータの再送をスケジューリングすると、端末は、特定されたパラメータセットに基づいて、ＰＵＳＣＨ上でサービスデータの再送を行う。
【００４４】
更に、本開示の上記実施例のステップ１２で特定された再送に使用されるパラメータセットは、サービスデータの上りグラントフリーによる初回伝送と動的スケジューリングによる再送とが異なる性能を有するという問題を回避することができ、初回伝送か再送かにかかわらずＰＵＳＣＨ伝送の信頼性、遅延などの性能が保証されることを実現する。
【００４５】
一実施例として、本開示の実施例に係る第１設定フィールド内の主なパラメータは、表１に示される通りである。
【００４６】
表１：ＣｏｎｆｉｇｕｒｅｄＧｒａｎｔＣｏｎｆｉｇフィールド記述
【表１】
2021532705.tif 000003
【００４７】
一実施例として、本開示の実施例に係る第２設定フィールド内の主なパラメータは、表２に示される通りである。
【００４８】
表２：ＰＵＳＣＨ−Ｃｏｎｆｉｇフィールド記述
【表２】
2021532705.tif 000004
【００４９】
任意選択で、本開示の上記実施例において、特定された再送に使用されるパラメータセットは、
第１設定フィールド内の、無線リソース制御−設定上り許可ｒｒｃ−ＣｏｎｆｉｇｕｒｅｄＵｐｌｉｎｋＧｒａｎｔである第１パラメータセット以外のパラメータ、及び、
第２設定フィールド内の、第１パラメータセットに対応するパラメータを含む。
【００５０】
設定されたＰＵＳＣＨ伝送に対し、上りグラントフリーに基づく初回伝送及び動的スケジューリングに基づく再送について、端末の再送には、第１設定フィールド内の、Ｔｙｐｅ１  ｇｒａｎｔ−ｆｒｅｅ及びＴｙｐｅ２  ｇｒａｎｔ−ｆｒｅｅに共有されるパラメータが用いられる。即ち、端末の再送には、第１設定フィールド内の、ｒｒｃ−ＣｏｎｆｉｇｕｒｅｄＵｐｌｉｎｋＧｒａｎｔ以外のパラメータが採用される一方、ｒｒｃ−ＣｏｎｆｉｇｕｒｅｄＵｐｌｉｎｋＧｒａｎｔに含まれるパラメータに対応し、端末の再送には、第２設定リソース内のパラメータが採用される。
【００５１】
任意選択で、ｒｒｃ−ＣｏｎｆｉｇｕｒｅｄＵｐｌｉｎｋＧｒａｎｔは、
時間領域リソースオフセットｔｉｍｅＤｏｍａｉｎＯｆｆｓｅｔ、時間領域リソース割当ｔｉｍｅＤｏｍａｉｎＡｌｌｏｃａｔｉｏｎ、周波数領域リソース割当ｆｒｅｑｕｅｎｃｙＤｏｍａｉｎＡｌｌｏｃａｔｉｏｎ、アンテナポート番号ａｎｔｅｎｎａＰｏｒｔ、復調基準信号−シーケンス番号初期化ｄｍｒｓ−ＳｅｑＩｎｉｔｉａｌｉｚａｔｉｏｎ、プリコーディング及び層数ｐｒｅｃｏｄｉｎｇＡｎｄＮｕｍｂｅｒＯｆＬａｙｅｒｓ、サウンディング基準信号リソース指示ｓｒｓ−Ｒｅｓｏｕｒｃｅ  Ｉｎｄｉｃａｔｏｒ、変調符号化スキーム及び伝送ブロックサイズｍｃｓＡｎｄＴＢＳ、周波数ホッピングオフセットｆｒｅｑｕｅｎｃｙＨｏｐｐｉｎｇＯｆｆｓｅｔ、及びパスロス基準インデックスｐａｔｈｌｏｓｓＲｅｆｅｒｅｎｃｅＩｎｄｅｘのうちの少なくとも１つのパラメータを含む。
【００５２】
端末の再送時の波形指示に関するパラメータについて、本開示の実施例は、少なくとも３つの波形指示方式を提供する。
【００５３】
方式１：特定された再送に使用されるパラメータセットは、第１設定フィールド内の変調符号化スキームテーブルｍｃｓ−Ｔａｂｌｅ及び波形設定ｔｒａｎｓｆｏｒｍＰｒｅｃｏｄｅｒ、及び、
第２設定フィールド内の、ｍｃｓ−Ｔａｂｌｅ及びｔｒａｎｓｆｏｒｍＰｒｅｃｏｄｅｒ以外のパラメータを含む。
【００５４】
簡潔に説明すると、方式１では、設定されたＰＵＳＣＨ伝送に対し、上りグラントフリーに基づく初回伝送及びスケジューリングに基づく再送について、端末の再送には、ＣｏｎｆｉｇｕｒｅｄＧｒａｎｔＣｏｎｆｉｇ内のパラメータｍｃｓ−Ｔａｂｌｅ及びパラメータｔｒａｎｓｆｏｒｍＰｒｅｃｏｄｅｒが採用され、他のパラメータについては、ＲＲＣシグナリングＰＵＳＣＨ−Ｃｏｎｆｉｇ内のパラメータが採用される。
【００５５】
方式２：特定された再送に使用されるパラメータセットは、ｍｃｓ−Ｔａｂｌｅを含む。第１設定フィールド内のｔｒａｎｓｆｏｒｍＰｒｅｃｏｄｅｒに対応する波形と第２設定フィールド内のｔｒａｎｓｆｏｒｍＰｒｅｃｏｄｅｒに対応する波形とは同じである場合、前記ｍｃｓ−Ｔａｂｌｅは、前記第１設定フィールド内のｍｃｓ−Ｔａｂｌｅであり、
第１設定フィールド内のｔｒａｎｓｆｏｒｍＰｒｅｃｏｄｅｒに対応する波形と第２設定フィールド内のｔｒａｎｓｆｏｒｍＰｒｅｃｏｄｅｒに対応する波形とは異なる場合、前記ｍｃｓ−Ｔａｂｌｅは、第２設定フィールド内のｔｒａｎｓｆｏｒｍＰｒｅｃｏｄｅｒに対応する波形に結びつけられたｍｃｓ−Ｔａｂｌｅであって、前記第１設定フィールド内のｍｃｓ−Ｔａｂｌｅに対応するｍｃｓ−Ｔａｂｌｅである。任意選択で、前記第１設定フィールド内のｍｃｓ−Ｔａｂｌｅに対応するｍｃｓ−Ｔａｂｌｅは、具体的には、第１設定フィールド内のｍｃｓ−Ｔａｂｌｅと同じ最小スペクトル効率ＳＥを有するｍｃｓ−Ｔａｂｌｅである。
【００５６】
特定された再送に使用されるパラメータセットは、第２設定フィールド内のｍｃｓ−Ｔａｂｌｅ以外のパラメータを更に含む。
【００５７】
簡潔に説明すると、方式２では、設定されたＰＵＳＣＨ伝送に対して、上りグラントフリーに基づく初回伝送及びスケジューリングに基づく再送について、初回伝送と再送の波形が同じであれば、端末の再送には、ＣｏｎｆｉｇｕｒｅｄＧｒａｎｔＣｏｎｆｉｇ内のパラメータｍｃｓ−Ｔａｂｌｅが採用され、他のパラメータについては、ＰＵＳＣＨ−Ｃｏｎｆｉｇ内のパラメータが採用される。初回伝送と再送の波形が異なる場合、端末の再送には、再送波形に結びつけられたｍｃｓ−Ｔａｂｌｅであって、第１設定フィールド内のｍｃｓ−Ｔａｂｌｅの最小スペクトル効率ＳＥと同じであるｍｃｓ−Ｔａｂｌｅが採用される。
【００５８】
例えば、第１設定フィールド内のｍｃｓ−Ｔａｂｌｅの最小スペクトル効率ＳＥは、０．０５８６であり、第２設定フィールド内のｔｒａｎｓｆｏｒｍＰｒｅｃｏｄｅｒに対応する波形（即ち、再送波形）に結びつけられたｍｃｓ−Ｔａｂｌｅは、第１ｍｃｓ−Ｔａｂｌｅと第２ｍｃｓ−Ｔａｂｌｅとを含む。ここで、第１ｍｃｓ−Ｔａｂｌｅの最小スペクトル効率ＳＥは、０．０５８６であり、第２ｍｃｓ−Ｔａｂｌｅの最小スペクトル効率ＳＥは、０．２３４４である。初回伝送と再送の波形が異なる場合、特定された再送に使用されるパラメータセットに含まれるｍｃｓ−Ｔａｂｌｅは、第１ｍｃｓ−Ｔａｂｌｅである。
【００５９】
方式３：特定された再送に使用されるパラメータセットは、ｍｃｓ−Ｔａｂｌｅを含む。前記第１設定フィールド内のｍｃｓ−Ｔａｂｌｅの名称が所定名称であり、又は前記端末に対して新規な無線ネットワーク一時識別子ｎｅｗ−ＲＮＴＩが設定されている場合、
前記ｍｃｓ−Ｔａｂｌｅは、前記第２設定フィールド内のｔｒａｎｓｆｏｒｍＰｒｅｃｏｄｅｒに対応する波形に結びつけられた前記所定名称のｍｃｓ−Ｔａｂｌｅであり、
そうでない場合、前記ｍｃｓ−Ｔａｂｌｅは、前記第２設定フィールド内のｍｃｓ−Ｔａｂｌｅであり、
ここで、前記所定名称は、ｑａｍ６４ＬｏｗＳＥである。
【００６０】
特定された再送に使用されるパラメータセットは、第２設定フィールド内のｍｃｓ−Ｔａｂｌｅ以外のパラメータを更に含む。
【００６１】
ここで、ｑａｍ６４ＬｏｗＳＥは、３ＧＰＰ  ＴＳ３８．２１４  ｖ１５．２．０におけるテーブル５．１．３．１−３及びテーブル６．１．４．１−２であり、テーブル５．１．３．１−３は、波形ＣＰ−ＯＦＤＭに結び付けられ、テーブル６．１．４．１−２は、波形ＤＦＴ−Ｓ−ＯＦＤＭに結び付けられる。
【００６２】
簡潔に説明すると、方式３では、設定されたＰＵＳＣＨ伝送に対し、上りグラントフリーに基づく初回伝送及びスケジューリングに基づく再送について、前記第１設定フィールド内のｍｃｓ−Ｔａｂｌｅが「ｑａｍ６４ＬｏｗＳＥ」であり、又は端末に対してｎｅｗ−ＲＮＴＩが設定されている場合、特定された再送に使用されるパラメータセットに含まれるｍｃｓ−Ｔａｂｌｅは、前記第２設定フィールド内のｔｒａｎｓｆｏｒｍＰｒｅｃｏｄｅｒに対応する波形に結びつけられた前記所定名称のｍｃｓ−Ｔａｂｌｅである。第１設定フィールド内のｍｃｓ−Ｔａｂｌｅが「ｑａｍ６４ＬｏｗＳＥ」ではなく、且つ端末にｎｅｗ−ＲＮＴＩが設定されていない場合、特定された再送に使用されるパラメータセットに含まれるｍｃｓ−Ｔａｂｌｅは、前記第２設定フィールド内のｍｃｓ−Ｔａｂｌｅである（即ち、特定された再送に使用されるパラメータセットは、第２設定フィールドの全ての設定パラメータを含む）。
【００６３】
方式４：特定された再送に使用されるパラメータセットは、第１設定フィールド内の変調符号化スキームテーブルｍｃｓ−Ｔａｂｌｅ、ｍｃｓ−ＴａｂｌｅＴｒａｎｓｆｏｒｍＰｒｅｃｏｄｅｒ、波形設定ｔｒａｎｓｆｏｒｍＰｒｅｃｏｄｅｒ、ｐ０−ＰＵＳＣＨ−ＡｌｐｈａＳｅｔのインデックスｐ０−ＰＵＳＣＨ−Ａｌｐｈａ、ｐｏｗｅｒＣｏｎｔｒｏｌＬｏｏｐＴｏＵｓｅ及びパスロス基準インデックスｐａｔｈｌｏｓｓＲｅｆｅｒｅｎｃｅＩｎｄｅｘ、及び、
第２設定フィールド内の、ｍｃｓ−Ｔａｂｌｅ、ｍｃｓ−ＴａｂｌｅＴｒａｎｓｆｏｒｍＰｒｅｃｏｄｅｒ、ｔｒａｎｓｆｏｒｍＰｒｅｃｏｄｅｒ、ｐ０−ＰＵＳＣＨ−Ａｌｐｈａ、ｐｏｗｅｒＣｏｎｔｒｏｌＬｏｏｐＴｏＵｓｅ及びｐａｔｈｌｏｓｓＲｅｆｅｒｅｎｃｅＩｎｄｅｘ以外のパラメータを含む。
【００６４】
本開示の実施例に係る上記データ再送方法における波形指示方法をより明確に説明するために、例１に関連して以下に詳細に説明する。
【００６５】
例１：
ＮＲでは、応用対象の違いに起因して、上りグラントフリー及び動的スケジューリングには、異なるＲＲＣ設定を有する。上りグラントフリーの波形について、ｍｓｇ３とは異なる波形を、ＲＲＣシグナリングのＣｏｎｆｉｇｕｒｅｄＧｒａｎｔＣｏｎｆｉｇ内のパラメータｔｒａｎｓｆｏｒｍＰｒｅｃｏｄｅｒによって柔軟に設定する。ＣｏｎｆｉｇｕｒｅｄＧｒａｎｔＣｏｎｆｉｇが設定されたＵＥは、動的スケジューリングが依然として採用され、且つ動的スケジューリングにおいて採用される波形は、ＲＲＣシグナリングＰＵＳＣＨ−Ｃｏｎｆｉｇ内のパラメータｔｒａｎｓｆｏｒｍＰｒｅｃｏｄｅｒによって特定される。
【００６６】
具体的には、Ｍｓｇ３の波形は、ＲＲＣシグナリングＲＡＣＨ−ＣｏｎｆｉｇＣｏｍｍｏｎ内のパラメータｍｓｇ３−ｔｒａｎｓｆｏｒｍＰｒｅｃｏｄｉｎｇによって与えられる。動的スケジューリングのＰＵＳＣＨの波形は、ＲＲＣシグナリングＰＵＳＣＨ−Ｃｏｎｆｉｇ内のパラメータｔｒａｎｓｆｏｒｍＰｒｅｃｏｄｅｒによって与えられ、このパラメータが現れない場合、ｍｓｇ３の波形が使用される。このパラメータが現れており且つ「イネーブルｅｎａｂｌｅｄ」である場合、伝送プリコーディングｔｒａｎｓｆｏｒｍ  ｐｒｅｃｏｄｉｎｇが使用される。このパラメータが現れており且つ「無効化ｄｉｓａｂｌｅｄ」である場合、ｔｒａｎｓｆｏｒｍ  ｐｒｅｃｏｄｉｎｇは、使用されない。
【００６７】
一方、設定されたＰＵＳＣＨの波形は、ＲＲＣシグナリングＣｏｎｆｉｇｕｒｅｄＧｒａｎｔＣｏｎｆｉｇ内のパラメータｔｒａｎｓｆｏｒｍＰｒｅｃｏｄｅｒによって与えられ、このパラメータが現れない場合、ｔｒａｎｓｆｏｒｍ  ｐｒｅｃｏｄｉｎｇは、使用されない。
【００６８】
一方、信頼性の保証を考慮し、設定されたＰＵＳＣＨ伝送に対し、ＭＣＳテーブルは、上りグラントフリーの初回伝送か動的スケジューリングの再送かにかかわらず、ＲＲＣシグナリングＣｏｎｆｉｇｕｒｅｄＧｒａｎｔＣｏｎｆｉｇ内のパラメータｍｃｓ−Ｔａｂｌｅによって与えられる。ｍｃｓ−Ｔａｂｌｅが波形に結び付けられているので、設定されたＰＵＳＣＨ再送、又は設定されたＰＵＳＣＨ初回伝送について、波形は、ＲＲＣシグナリングＣｏｎｆｉｇｕｒｅｄＧｒａｎｔＣｏｎｆｉｇ内のパラメータｔｒａｎｓｆｏｒｍＰｒｅｃｏｄｅｒによって与えられるべきである。このパラメータが現れており且つ「イネーブルｅｎａｂｌｅｄ」である場合、ｔｒａｎｓｆｏｒｍ  ｐｒｅｃｏｄｉｎｇが使用されるが、そうでない場合、ｔｒａｎｓｆｏｒｍ  ｐｒｅｃｏｄｉｎｇが使用されない。
【００６９】
以上の説明から明らかなように、上記２つの波形特定方法は、矛盾するものであり、前者は、再送時に柔軟性を提供できるが、後者は、伝送の信頼性を保証できる。従って、本開示の実施例は、更に波形選択方式を提供する。
【００７０】
例えば、設定されたＰＵＳＣＨ伝送に対し、上りグラントフリーに基づく初回伝送及びスケジューリングに基づく再送について、ＵＥの再送には、ＲＲＣシグナリングＣｏｎｆｉｇｕｒｅｄＧｒａｎｔＣｏｎｆｉｇ内のＴｙｐｅ１及びＴｙｐｅ２に共有されるパラメータ、即ち、ＣｏｎｆｉｇｕｒｅｄＧｒａｎｔＣｏｎｆｉｇ内のｒｒｃ−ＣｏｎｆｉｇｕｒｅｄＵｐｌｉｎｋＧｒａｎｔ以外のパラメータが採用される一方、他のパラメータについて、端末の再送には、ＲＲＣシグナリングＰＵＳＣＨ−Ｃｏｎｆｉｇ内のパラメータが採用される。
【００７１】
また、例えば、端末の再送には、全てＲＲＣシグナリングＰＵＳＣＨ−Ｃｏｎｆｉｇ内のパラメータが採用される。ただし、例外があり、即ち、ＲＲＣシグナリングＣｏｎｆｉｇｕｒｅｄＧｒａｎｔＣｏｎｆｉｇ内のパラメータｍｃｓ−Ｔａｂｌｅが「ｑａｍ６４ＬｏｗＳＥ」であり、又は、ＵＥに対してｎｅｗ−ＲＮＴＩが設定されている場合、端末は、２つの低ＳＥのＭＣＳテーブルからｍｃｓ−Ｔａｂｌｅを１つ選択し、選択されたｍｃｓ−Ｔａｂｌｅは、前記第２設定フィールド内のｔｒａｎｓｆｏｒｍＰｒｅｃｏｄｅｒに対応する波形に結び付けられた前記所定名称のｍｃｓ−Ｔａｂｌｅである。
【００７２】
一実施例として、第１設定フィールド内の繰り返し回数Ｋと第２設定フィールド内のＰＵＳＣＨ繰り返し回数が異なる場合、初回伝送と再送とが異なる性能を有することを避けるために、本開示の実施例は、繰り返し回数指示方法を更に提供する。即ち、特定された再送に使用されるパラメータセットは、再送に使用される繰り返し回数を含み、
前記再送に使用される繰り返し回数は、
第１設定フィールド内の繰り返し回数Ｋと第２設定フィールド内のＰＵＳＣＨ繰り返し回数のうち大きい方の回数、第１設定フィールド内の繰り返し回数Ｋと第２設定フィールド内のＰＵＳＣＨ繰り返し回数のうち小さい方の回数、第１設定フィールド内の繰り返し回数Ｋ、及び第２設定フィールド内のＰＵＳＣＨ繰り返し回数のいずれかである。
【００７３】
対応して、特定された再送に使用されるパラメータセットは、第２設定フィールド内のＰＵＳＣＨ繰り返し回数以外のパラメータを更に含む。
【００７４】
具体的には、設定されたＰＵＳＣＨ伝送に対して、上りグラントフリーに基づく初回伝送及びスケジューリングに基づく再送について、端末の再送には、端末の再送に採用される繰り返し回数（即ち、複数のスロットの個数）として、ＰＵＳＣＨ−Ｃｏｎｆｉｇ内のパラメータｐｕｓｃｈ−ＡｇｇｒｅｇａｔｉｏｎＦａｃｔｏｒ（ＰＵＣＣＨ繰り返し回数）とＣｏｎｆｉｇｕｒｅｄＧｒａｎｔＣｏｎｆｉｇ内のパラメータｒｅｐＫ（繰り返し回数Ｋ）のうち大きい方が採用され、それ以外のパラメータについては、ＰＵＳＣＨ−Ｃｏｎｆｉｇ内のパラメータが採用される。
【００７５】
又は、設定されたＰＵＳＣＨ伝送に対して、上りグラントフリーに基づく初回伝送及びスケジューリングに基づく再送について、ＵＥの再送には、端末の再送に採用される繰り返し回数（即ち、複数のスロットの個数）として、ＣｏｎｆｉｇｕｒｅｄＧｒａｎｔＣｏｎｆｉｇ内のパラメータｒｅｐＫが採用され、他のパラメータについては、ＰＵＳＣＨ−Ｃｏｎｆｉｇ内のパラメータが採用される。
【００７６】
又は、設定されたＰＵＳＣＨ伝送に対して、上りグラントフリーに基づく初回伝送及びスケジューリングに基づく再送について、ＵＥの再送には、端末の再送に採用される繰り返し回数（即ち、複数のスロットの個数）として、ＰＵＳＣＨ−Ｃｏｎｆｉｇ内のｐｕｓｃｈ−ＡｇｇｒｅｇａｔｉｏｎＦａｃｔｏｒ（ＰＵＣＣＨ繰り返し回数）が採用され、他のパラメータについては、ＰＵＳＣＨ−Ｃｏｎｆｉｇ内のパラメータが採用される。
【００７７】
又は、設定されたＰＵＳＣＨ伝送に対して、上りグラントフリーに基づく初回伝送及びスケジューリングに基づく再送について、ＵＥの再送には、端末の再送に採用される繰り返し回数（即ち、複数のスロットの個数）として、ＰＵＳＣＨ−Ｃｏｎｆｉｇ内のパラメータｐｕｓｃｈ−ＡｇｇｒｅｇａｔｉｏｎＦａｃｔｏｒ及びＣｏｎｆｉｇｕｒｅｄＧｒａｎｔＣｏｎｆｉｇ内のパラメータｒｅｐＫのうちの小さい方が採用され、他のパラメータについては、ＰＵＳＣＨ−Ｃｏｎｆｉｇ内のパラメータが採用される。
【００７８】
本開示の実施例に係る上記データ再送方法における繰り返し回数指示方法をより明確に説明するために、例２に関連して以下に詳細に説明する。
【００７９】
例２：
ＮＲでは、応用対象の違いに起因して、上りグラントフリー及び動的スケジューリングには、異なるＲＲＣ設定を有する。カバレッジ改善や信頼性向上のために、上り動的スケジューリングは、ＲＲＣシグナリングＰＵＳＣＨ−Ｃｏｎｆｉｇ内のパラメータｐｕｓｃｈ−ＡｇｇｒｅｇａｔｉｏｎＦａｃｔｏｒに基づいて、１回の伝送で占有する複数のスロットの個数を特定し、複数のスロットに１回の伝送の複数回繰り返しを行い、初回伝送も再送も同じ複数のスロットの個数を用いる。上りグラントフリーの場合、パラメータｐｕｓｃｈ−ＡｇｇｒｅｇａｔｉｏｎＦａｃｔｏｒに類似するものは、ＲＲＣシグナリングＣｏｎｆｉｇｕｒｅｄＧｒａｎｔＣｏｎｆｉｇ内のパラメータｒｅｐＫである。
【００８０】
設定されたＰＵＳＣＨ伝送に対し、上りグラントフリーに基づく初回伝送及びスケジューリングに基づく再送について、初回伝送では、ＲＲＣシグナリングＣｏｎｆｉｇｕｒｅｄＧｒａｎｔＣｏｎｆｉｇ内のパラメータｒｅｐＫを用いて複数のスロットの個数を特定し、再送ではＲＲＣシグナリングＰＵＳＣＨ−Ｃｏｎｆｉｇ内のパラメータｐｕｓｃｈ−ＡｇｇｒｅｇａｔｉｏｎＦａｃｔｏｒを用いて複数のスロットの個数を特定すると、ｒｅｐＫ≠ｐｕｓｃｈ−ＡｇｇｒｅｇａｔｉｏｎＦａｃｔｏｒの場合、上記２つのマルチスロット特定方法は、互いに矛盾するため、複数のスロットの個数選択の設計が更に必要である。
【００８１】
設定されたＰＵＳＣＨ伝送に対し、上りグラントフリーに基づく初回伝送及びスケジューリングに基づく再送について、ＵＥの再送には、ＲＲＣシグナリングＰＵＳＣＨ−Ｃｏｎｆｉｇ内のパラメータｐｕｓｃｈ−ＡｇｇｒｅｇａｔｉｏｎＦａｃｔｏｒとＲＲＣシグナリングＣｏｎｆｉｇｕｒｅｄＧｒａｎｔＣｏｎｆｉｇ内のパラメータｒｅｐＫのうちの大きい方が採用される。
【００８２】
以上をまとめると、本開示の上記実施例では、初回伝送に上りグラントフリーが使用され、再送に動的スケジューリングが使用されるＰＵＳＣＨ伝送方式では、ＰＵＳＣＨを再送する際に使用されるパラメータセットを、ＣｏｎｆｉｇｕｒｅｄＧｒａｎｔＣｏｎｆｉｇとＰＵＳＣＨ−ｃｏｎｆｉｇ内の対応するパラメータに基づいて特定することによって、サービスデータの上りグラントフリーによる初回伝送と動的スケジューリングによる再送とが異なる性能を有するという問題を解決し、初回伝送か再送かにかかわらずＰＵＳＣＨ伝送の信頼性、遅延などの性能が保証されることを実現する。
【００８３】
図２に示すように、本開示の実施例は、端末に応用されるデータ再送装置を更に提供し、設定許可ＣｏｎｆｉｇｕｒｅｄＧｒａｎｔＣｏｎｆｉｇフィールドである第１設定フィールドと、物理上り共有チャネル設定ＰＵＳＣＨ−ｃｏｎｆｉｇフィールドである第２設定フィールドとを少なくとも含む無線リソース制御ＲＲＣシグナリングを取得するシグナリング取得モジュール２１と、前記端末によるＰＵＳＣＨ再送が基地局によって動的にスケジューリングされる場合、前記第１設定フィールドに含まれる設定パラメータと前記第２設定フィールドに含まれる設定パラメータとに基づいて、再送に使用されるパラメータセットを特定するパラメータ特定モジュール２２と、特定されたパラメータセットに基づいてＰＵＳＣＨ再送を行う再送モジュール２３とを含む。
【００８４】
任意選択で、本開示の上記実施例において、特定された再送に使用されるパラメータセットは、
第１設定フィールド内の、無線リソース制御−設定上り許可ｒｒｃ−ＣｏｎｆｉｇｕｒｅｄＵｐｌｉｎｋＧｒａｎｔである第１パラメータセット以外のパラメータ、及び、
第２設定フィールド内の、第１パラメータセットに対応するパラメータを含む。
【００８５】
任意選択で、本開示の上記実施例において、特定された再送に使用されるパラメータセットは、
第１設定フィールド内の変調符号化スキームテーブルｍｃｓ−Ｔａｂｌｅ及び波形設定ｔｒａｎｓｆｏｒｍＰｒｅｃｏｄｅｒ、及び、
第２設定フィールド内の、ｍｃｓ−Ｔａｂｌｅ及びｔｒａｎｓｆｏｒｍＰｒｅｃｏｄｅｒ以外のパラメータを含む。
【００８６】
任意選択で、本開示の上記実施例において、特定された再送に使用されるパラメータセットは、
ｍｃｓ−Ｔａｂｌｅを含み、
第１設定フィールド内のｔｒａｎｓｆｏｒｍＰｒｅｃｏｄｅｒに対応する波形と第２設定フィールド内のｔｒａｎｓｆｏｒｍＰｒｅｃｏｄｅｒに対応する波形とは同じである場合、前記ｍｃｓ−Ｔａｂｌｅは、前記第１設定フィールド内のｍｃｓ−Ｔａｂｌｅであり、
第１設定フィールド内のｔｒａｎｓｆｏｒｍＰｒｅｃｏｄｅｒに対応する波形と第２設定フィールド内のｔｒａｎｓｆｏｒｍＰｒｅｃｏｄｅｒに対応する波形とは異なる場合、前記ｍｃｓ−Ｔａｂｌｅは、第２設定フィールド内のｔｒａｎｓｆｏｒｍＰｒｅｃｏｄｅｒに対応する波形に結びつけられたｍｃｓ−Ｔａｂｌｅであって、前記第１設定フィールド内のｍｃｓ−Ｔａｂｌｅに対応するｍｃｓ−Ｔａｂｌｅである。
【００８７】
任意選択で、本開示の上記実施例において、特定された再送に使用されるパラメータセットは、
ｍｃｓ−Ｔａｂｌｅを含み、
前記第１設定フィールド内のｍｃｓ−Ｔａｂｌｅの名称が所定名称であり、又は前記端末に対して新規な無線ネットワーク一時識別子ｎｅｗ−ＲＮＴＩが設定された場合、
前記ｍｃｓ−Ｔａｂｌｅは、前記第２設定フィールド内のｔｒａｎｓｆｏｒｍＰｒｅｃｏｄｅｒに対応する波形に結びつけられた前記所定名称のｍｃｓ−Ｔａｂｌｅであり、
そうでない場合、前記ｍｃｓ−Ｔａｂｌｅは、前記第２設定フィールド内のｍｃｓ−Ｔａｂｌｅであり、
ここで、前記所定名称は、ｑａｍ６４ＬｏｗＳＥである。
【００８８】
任意選択で、本開示の上記実施例において、特定された再送に使用されるパラメータセットは、第２設定フィールド内のｍｃｓ−Ｔａｂｌｅ以外のパラメータを更に含む。
【００８９】
任意選択で、本開示の上記実施例において、特定された再送に使用されるパラメータセットは、
再送に使用される繰り返し回数を含み、
前記再送に使用される繰り返し回数は、
第１設定フィールド内の繰り返し回数Ｋと第２設定フィールド内のＰＵＳＣＨ繰り返し回数のうち大きい方の回数、第１設定フィールド内の繰り返し回数Ｋと第２設定フィールド内のＰＵＳＣＨ繰り返し回数のうち小さい方の回数、第１設定フィールド内の繰り返し回数Ｋ、及び第２設定フィールド内のＰＵＳＣＨ繰り返し回数のいずれかである。
【００９０】
任意選択で、本開示の上記実施例において、特定された再送に使用されるパラメータセットは、第２設定フィールド内のＰＵＳＣＨ繰り返し回数以外のパラメータを更に含む。
【００９１】
以上をまとめると、本開示の上記実施例では、初回伝送に上りグラントフリーが使用され、再送に動的スケジューリングが使用されるＰＵＳＣＨ伝送方式では、ＰＵＳＣＨを再送する際に使用されるパラメータセットを、ＣｏｎｆｉｇｕｒｅｄＧｒａｎｔＣｏｎｆｉｇとＰＵＳＣＨ−ｃｏｎｆｉｇ内の対応するパラメータに基づいて特定することによって、サービスデータの上りグラントフリーによる初回伝送と動的スケジューリングによる再送とが異なる性能を有するという問題を解決し、初回伝送か再送かにかかわらずＰＵＳＣＨ伝送の信頼性、遅延などの性能が保証されることを実現する。
【００９２】
なお、本開示の実施例に係るデータ再送装置は、上記データ再送方法を実行可能な装置であり、上記データ再送方法のすべての実施例が該装置に適用可能であり、且つ同じ又は類似の効果を奏することもできる。
【００９３】
図３に示すように、本開示の実施例は、トランシーバ３２０と、メモリ３１０と、プロセッサ３００と、前記メモリ３１０に格納されて前記プロセッサ３００で実行可能なコンピュータプログラムとを含む端末を更に提供する。ここで、前記トランシーバ３２０は、設定許可ＣｏｎｆｉｇｕｒｅｄＧｒａｎｔＣｏｎｆｉｇフィールドである第１設定フィールドと、物理上り共有チャネル設定ＰＵＳＣＨ−ｃｏｎｆｉｇフィールドである第２設定フィールドとを少なくとも含む無線リソース制御ＲＲＣシグナリングを取得する。前記プロセッサ３００は、メモリからプログラムを読み取ることによって、前記端末によるＰＵＳＣＨ再送が基地局によって動的にスケジューリングされる場合、前記第１設定フィールドに含まれる設定パラメータと前記第２設定フィールドに含まれる設定パラメータとに基づいて、再送に使用されるパラメータセットを特定するプロセスと、特定されたパラメータセットに基づいてＰＵＳＣＨ再送を行うプロセスとを実行する。
【００９４】
任意選択で、本開示の上記実施例において、特定された再送に使用されるパラメータセットは、
第１設定フィールド内の、無線リソース制御−設定上り許可ｒｒｃ−ＣｏｎｆｉｇｕｒｅｄＵｐｌｉｎｋＧｒａｎｔである第１パラメータセット以外のパラメータ、及び、
第２設定フィールド内の、第１パラメータセットに対応するパラメータを含む。
【００９５】
任意選択で、本開示の上記実施例において、特定された再送に使用されるパラメータセットは、
第１設定フィールド内の変調符号化スキームテーブルｍｃｓ−Ｔａｂｌｅ及び波形設定ｔｒａｎｓｆｏｒｍＰｒｅｃｏｄｅｒ、及び、
第２設定フィールド内の、ｍｃｓ−Ｔａｂｌｅ及びｔｒａｎｓｆｏｒｍＰｒｅｃｏｄｅｒ以外のパラメータを含む。
【００９６】
任意選択で、本開示の上記実施例において、特定された再送に使用されるパラメータセットは、
ｍｃｓ−Ｔａｂｌｅを含み、
第１設定フィールド内のｔｒａｎｓｆｏｒｍＰｒｅｃｏｄｅｒに対応する波形と第２設定フィールド内のｔｒａｎｓｆｏｒｍＰｒｅｃｏｄｅｒに対応する波形とは同じである場合、前記ｍｃｓ−Ｔａｂｌｅは、前記第１設定フィールド内のｍｃｓ−Ｔａｂｌｅであり、
第１設定フィールド内のｔｒａｎｓｆｏｒｍＰｒｅｃｏｄｅｒに対応する波形と第２設定フィールド内のｔｒａｎｓｆｏｒｍＰｒｅｃｏｄｅｒに対応する波形とは異なる場合、前記ｍｃｓ−Ｔａｂｌｅは、第２設定フィールド内のｔｒａｎｓｆｏｒｍＰｒｅｃｏｄｅｒに対応する波形に結びつけられたｍｃｓ−Ｔａｂｌｅであって、前記第１設定フィールド内のｍｃｓ−Ｔａｂｌｅに対応するｍｃｓ−Ｔａｂｌｅである。
【００９７】
任意選択で、本開示の上記実施例において、特定された再送に使用されるパラメータセットは、
ｍｃｓ−Ｔａｂｌｅを含み、
前記第１設定フィールド内のｍｃｓ−Ｔａｂｌｅの名称が所定名称であり、又は前記端末に対して新規な無線ネットワーク一時識別子ｎｅｗ−ＲＮＴＩが設定された場合、
前記ｍｃｓ−Ｔａｂｌｅは、前記第２設定フィールド内のｔｒａｎｓｆｏｒｍＰｒｅｃｏｄｅｒに対応する波形に結びつけられた前記所定名称のｍｃｓ−Ｔａｂｌｅであり、
そうでない場合、前記ｍｃｓ−Ｔａｂｌｅは、前記第２設定フィールド内のｍｃｓ−Ｔａｂｌｅであり、
ここで、前記所定名称は、ｑａｍ６４ＬｏｗＳＥである。
【００９８】
任意選択で、本開示の上記実施例において、特定された再送に使用されるパラメータセットは、第２設定フィールド内のｍｃｓ−Ｔａｂｌｅ以外のパラメータを更に含む。
【００９９】
任意選択で、本開示の上記実施例において、特定された再送に使用されるパラメータセットは、
再送に使用される繰り返し回数を含み、
前記再送に使用される繰り返し回数は、
第１設定フィールド内の繰り返し回数Ｋと第２設定フィールド内のＰＵＳＣＨ繰り返し回数のうち大きい方の回数、第１設定フィールド内の繰り返し回数Ｋと第２設定フィールド内のＰＵＳＣＨ繰り返し回数のうち小さい方の回数、第１設定フィールド内の繰り返し回数Ｋ、及び第２設定フィールド内のＰＵＳＣＨ繰り返し回数のいずれかである。
【０１００】
任意選択で、本開示の上記実施例において、特定された再送に使用されるパラメータセットは、第２設定フィールド内のＰＵＳＣＨ繰り返し回数以外のパラメータを更に含む。
【０１０１】
任意選択で、特定された再送に使用されるパラメータセットは、
第１設定フィールド内の変調符号化スキームテーブルｍｃｓ−Ｔａｂｌｅ、ｍｃｓ−ＴａｂｌｅＴｒａｎｓｆｏｒｍＰｒｅｃｏｄｅｒ、波形設定ｔｒａｎｓｆｏｒｍＰｒｅｃｏｄｅｒ、ｐ０−ＰＵＳＣＨ−ＡｌｐｈａＳｅｔのインデックスｐ０−ＰＵＳＣＨ−Ａｌｐｈａ、ｐｏｗｅｒＣｏｎｔｒｏｌＬｏｏｐＴｏＵｓｅ及びパスロス基準インデックスｐａｔｈｌｏｓｓＲｅｆｅｒｅｎｃｅＩｎｄｅｘ、及び、
第２設定フィールド内の、ｍｃｓ−Ｔａｂｌｅ、ｍｃｓ−ＴａｂｌｅＴｒａｎｓｆｏｒｍＰｒｅｃｏｄｅｒ、ｔｒａｎｓｆｏｒｍＰｒｅｃｏｄｅｒ、ｐ０−ＰＵＳＣＨ−Ａｌｐｈａ、ｐｏｗｅｒＣｏｎｔｒｏｌＬｏｏｐＴｏＵｓｅ及びｐａｔｈｌｏｓｓＲｅｆｅｒｅｎｃｅＩｎｄｅｘ以外のパラメータを含む。
【０１０２】
以上をまとめると、本開示の上記実施例では、初回伝送に上りグラントフリーが使用され、再送に動的スケジューリングが使用されるＰＵＳＣＨ伝送方式では、ＰＵＳＣＨを再送する際に使用されるパラメータセットを、ＣｏｎｆｉｇｕｒｅｄＧｒａｎｔＣｏｎｆｉｇとＰＵＳＣＨ−ｃｏｎｆｉｇ内の対応するパラメータに基づいて特定することによって、サービスデータの上りグラントフリーによる初回伝送と動的スケジューリングによる再送とが異なる性能を有するという問題を解決し、初回伝送か再送かにかかわらずＰＵＳＣＨ伝送の信頼性、遅延などの性能が保証されることを実現する。
【０１０３】
なお、本開示の実施例に係る端末は、上記データ再送方法を実行可能な端末であり、上記データ再送方法のすべての実施例が該端末に適用可能であり、且つ同じ又は類似の効果を奏することもできる。
【０１０４】
本開示の実施例は、コンピュータプログラムが格納されているコンピュータ読み取り可能な記憶媒体を更に提供し、前記コンピュータプログラムがプロセッサによって実行されると、上記データ再送方法の実施例の各プロセスが実現され、且つ同じ技術効果を奏することもできるので、重複を避けるために、ここでは繰り返して記載しない。ここで、前記コンピュータ読み取り可能な記憶媒体は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどなどである。
【０１０５】
なお、本明細書において、「含む」や「含有する」又はそれ以外のあらゆる変形用語は、非排他的な包含を意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「…を１つ含む」の表現によって限定される要素について、当該要素を含むプロセス、方法、モノ又は装置に他の同一要素の存在を除外しない。
【０１０６】
以上の実施形態の記載から、上記実施例の方法が、ソフトウェアプラス必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（例えばＲＯＭ／ＲＡＭ、磁気ディスク、光ディスク）に記憶され、本開示の各実施例の方法を１台の端末（携帯電話、コンピュータ、サーバー、空調機又はネットワーク機器など）に実行させるいくつかの指令を含む。
【０１０７】
以上、本開示の実施例を図面に関連して説明したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、すべて本開示の保護範囲に含まれる。
【０１０８】
以上は、本開示の選択可能な実施形態である。なお、当業者にとって、本開示に記載の原理を逸脱せずに、さらなる改良や修飾を行うことが可能であり、これらの改良や修飾も、本開示の保護範囲として見なされるべきである。
【図１】
2021532705.tif 000005
【図２】
2021532705.tif 000006
【図３】
2021532705.tif 000007
【手続補正書】
【提出日】令和3年2月3日(2021.2.3)
【手続補正１】
【補正対象書類名】特許請求の範囲
【補正対象項目名】全文
【補正方法】変更
【補正の内容】
【特許請求の範囲】
【請求項１】
端末に応用されるデータ再送方法であって、
設定許可ＣｏｎｆｉｇｕｒｅｄＧｒａｎｔＣｏｎｆｉｇフィールドである第１設定フィールドと、物理上り共有チャネル設定ＰＵＳＣＨ−ｃｏｎｆｉｇフィールドである第２設定フィールドとを少なくとも含む無線リソース制御ＲＲＣ（Ｒａｄｉｏ  Ｒｅｓｏｕｒｃｅ  Ｃｏｎｔｒｏｌ）シグナリングを取得することと、
前記端末によるＰＵＳＣＨ再送が基地局によって動的にスケジューリングされる場合、前記第１設定フィールドに含まれる設定パラメータと前記第２設定フィールドに含まれる設定パラメータとに基づいて、再送に使用されるパラメータセットを特定することと、
特定されたパラメータセットに基づいてＰＵＳＣＨ再送を行うこととを含む、データ再送方法。
【請求項２】
特定された再送に使用されるパラメータセットは、
第１設定フィールド内の、無線リソース制御−設定上り許可ｒｒｃ−ＣｏｎｆｉｇｕｒｅｄＵｐｌｉｎｋＧｒａｎｔである第１パラメータセット以外のパラメータ、及び、
第２設定フィールド内の、第１パラメータセットに対応するパラメータを含む、請求項１に記載の方法。
【請求項３】
特定された再送に使用されるパラメータセットは、
第１設定フィールド内の変調符号化スキームテーブルｍｃｓ−Ｔａｂｌｅ及び波形設定ｔｒａｎｓｆｏｒｍＰｒｅｃｏｄｅｒ、及び、
第２設定フィールド内の、ｍｃｓ−Ｔａｂｌｅ及びｔｒａｎｓｆｏｒｍＰｒｅｃｏｄｅｒ以外のパラメータを含む、請求項１に記載の方法。
【請求項４】
特定された再送に使用されるパラメータセットは、
ｍｃｓ−Ｔａｂｌｅを含み、
第１設定フィールド内のｔｒａｎｓｆｏｒｍＰｒｅｃｏｄｅｒに対応する波形と第２設定フィールド内のｔｒａｎｓｆｏｒｍＰｒｅｃｏｄｅｒに対応する波形とは同じである場合、前記ｍｃｓ−Ｔａｂｌｅは、前記第１設定フィールド内のｍｃｓ−Ｔａｂｌｅであり、
第１設定フィールド内のｔｒａｎｓｆｏｒｍＰｒｅｃｏｄｅｒに対応する波形と第２設定フィールド内のｔｒａｎｓｆｏｒｍＰｒｅｃｏｄｅｒに対応する波形とは異なる場合、前記ｍｃｓ−Ｔａｂｌｅは、第２設定フィールド内のｔｒａｎｓｆｏｒｍＰｒｅｃｏｄｅｒに対応する波形に結びつけられたｍｃｓ−Ｔａｂｌｅであって、前記第１設定フィールド内のｍｃｓ−Ｔａｂｌｅに対応するｍｃｓ−Ｔａｂｌｅである、請求項１に記載の方法。
【請求項５】
特定された再送に使用されるパラメータセットは、
ｍｃｓ−Ｔａｂｌｅを含み、
前記第１設定フィールド内のｍｃｓ−Ｔａｂｌｅの名称が所定名称であり、又は前記端末に対して新規な無線ネットワーク一時識別子ｎｅｗ−ＲＮＴＩが設定された場合、
前記ｍｃｓ−Ｔａｂｌｅは、前記第２設定フィールド内のｔｒａｎｓｆｏｒｍＰｒｅｃｏｄｅｒに対応する波形に結びつけられた前記所定名称のｍｃｓ−Ｔａｂｌｅであり、
そうでない場合、前記ｍｃｓ−Ｔａｂｌｅは、前記第２設定フィールド内のｍｃｓ−Ｔａｂｌｅであり、
ここで、前記所定名称は、ｑａｍ６４ＬｏｗＳＥである、請求項１に記載の方法。
【請求項６】
特定された再送に使用されるパラメータセットは、
第２設定フィールド内の、ｍｃｓ−Ｔａｂｌｅ以外のパラメータを更に含む、請求項４又は５に記載の方法。
【請求項７】
特定された再送に使用されるパラメータセットは、
再送に使用される繰り返し回数を含み、
前記再送に使用される繰り返し回数は、
第１設定フィールド内の繰り返し回数Ｋと第２設定フィールド内のＰＵＳＣＨ繰り返し回数のうち大きい方の回数、第１設定フィールド内の繰り返し回数Ｋと第２設定フィールド内のＰＵＳＣＨ繰り返し回数のうち小さい方の回数、第１設定フィールド内の繰り返し回数Ｋ、及び第２設定フィールド内のＰＵＳＣＨ繰り返し回数のいずれかである、請求項１に記載の方法。
【請求項８】
特定された再送に使用されるパラメータセットは、
第２設定フィールド内の、ＰＵＳＣＨ繰り返し回数以外のパラメータを更に含む、請求項７に記載の方法。
【請求項９】
特定された再送に使用されるパラメータセットは、
第１設定フィールド内の変調符号化スキームテーブルｍｃｓ−Ｔａｂｌｅ、ｍｃｓ−ＴａｂｌｅＴｒａｎｓｆｏｒｍＰｒｅｃｏｄｅｒ、波形設定ｔｒａｎｓｆｏｒｍＰｒｅｃｏｄｅｒ、ｐ０−ＰＵＳＣＨ−ＡｌｐｈａＳｅｔのインデックスｐ０−ＰＵＳＣＨ−Ａｌｐｈａ、ｐｏｗｅｒＣｏｎｔｒｏｌＬｏｏｐＴｏＵｓｅ及びパスロス基準インデックスｐａｔｈｌｏｓｓＲｅｆｅｒｅｎｃｅＩｎｄｅｘ、及び、
第２設定フィールド内の、ｍｃｓ−Ｔａｂｌｅ、ｍｃｓ−ＴａｂｌｅＴｒａｎｓｆｏｒｍＰｒｅｃｏｄｅｒ、ｔｒａｎｓｆｏｒｍＰｒｅｃｏｄｅｒ、ｐ０−ＰＵＳＣＨ−Ａｌｐｈａ、ｐｏｗｅｒＣｏｎｔｒｏｌＬｏｏｐＴｏＵｓｅ及びｐａｔｈｌｏｓｓＲｅｆｅｒｅｎｃｅＩｎｄｅｘ以外のパラメータを含む、請求項１に記載の方法。
【請求項１０】
端末に応用されるデータ再送装置であって、
設定許可ＣｏｎｆｉｇｕｒｅｄＧｒａｎｔＣｏｎｆｉｇフィールドである第１設定フィールドと、物理上り共有チャネル設定ＰＵＳＣＨ−ｃｏｎｆｉｇフィールドである第２設定フィールドとを少なくとも含む無線リソース制御ＲＲＣシグナリングを取得するシグナリング取得モジュールと、
前記端末によるＰＵＳＣＨ再送が基地局によって動的にスケジューリングされる場合、前記第１設定フィールドに含まれる設定パラメータと前記第２設定フィールドに含まれる設定パラメータとに基づいて、再送に使用されるパラメータセットを特定するパラメータ特定モジュールと、
特定されたパラメータセットに基づいてＰＵＳＣＨ再送を行う再送モジュールとを含む、データ再送装置。
【請求項１１】
特定された再送に使用されるパラメータセットは、
第１設定フィールド内の、無線リソース制御−設定上り許可ｒｒｃ−ＣｏｎｆｉｇｕｒｅｄＵｐｌｉｎｋＧｒａｎｔである第１パラメータセット以外のパラメータ、及び、
第２設定フィールド内の、第１パラメータセットに対応するパラメータを含む、請求項１０に記載のデータ再送装置。
【請求項１２】
特定された再送に使用されるパラメータセットは、
第１設定フィールド内の変調符号化スキームテーブルｍｃｓ−Ｔａｂｌｅ及び波形設定ｔｒａｎｓｆｏｒｍＰｒｅｃｏｄｅｒ、及び、
第２設定フィールド内の、ｍｃｓ−Ｔａｂｌｅ及びｔｒａｎｓｆｏｒｍＰｒｅｃｏｄｅｒ以外のパラメータを含む、請求項１０に記載のデータ再送装置。
【請求項１３】
特定された再送に使用されるパラメータセットは、
ｍｃｓ−Ｔａｂｌｅを含み、
第１設定フィールド内のｔｒａｎｓｆｏｒｍＰｒｅｃｏｄｅｒに対応する波形と第２設定フィールド内のｔｒａｎｓｆｏｒｍＰｒｅｃｏｄｅｒに対応する波形とは同じである場合、前記ｍｃｓ−Ｔａｂｌｅは、前記第１設定フィールド内のｍｃｓ−Ｔａｂｌｅであり、
第１設定フィールド内のｔｒａｎｓｆｏｒｍＰｒｅｃｏｄｅｒに対応する波形と第２設定フィールド内のｔｒａｎｓｆｏｒｍＰｒｅｃｏｄｅｒに対応する波形とは異なる場合、前記ｍｃｓ−Ｔａｂｌｅは、第２設定フィールド内のｔｒａｎｓｆｏｒｍＰｒｅｃｏｄｅｒに対応する波形に結びつけられたｍｃｓ−Ｔａｂｌｅであって、前記第１設定フィールド内のｍｃｓ−Ｔａｂｌｅに対応するｍｃｓ−Ｔａｂｌｅである、請求項１０に記載のデータ再送装置。
【請求項１４】
特定された再送に使用されるパラメータセットは、
ｍｃｓ−Ｔａｂｌｅを含み、
前記第１設定フィールド内のｍｃｓ−Ｔａｂｌｅの名称が所定名称であり、又は前記端末に対して新規な無線ネットワーク一時識別子ｎｅｗ−ＲＮＴＩが設定された場合、
前記ｍｃｓ−Ｔａｂｌｅは、前記第２設定フィールド内のｔｒａｎｓｆｏｒｍＰｒｅｃｏｄｅｒに対応する波形に結びつけられた前記所定名称のｍｃｓ−Ｔａｂｌｅであり、
そうでない場合、前記ｍｃｓ−Ｔａｂｌｅは、前記第２設定フィールド内のｍｃｓ−Ｔａｂｌｅであり、
ここで、前記所定名称は、ｑａｍ６４ＬｏｗＳＥである、請求項１０に記載のデータ再送装置。
【請求項１５】
コンピュータプログラムが格納されているコンピュータ読み取り可能な記憶媒体であって、
前記コンピュータプログラムがプロセッサによって実行されると、請求項１〜９のいずれか１項に記載のデータ再送方法が実現される、コンピュータ読み取り可能な記憶媒体。
【手続補正２】
【補正対象書類名】明細書
【補正対象項目名】００５０
【補正方法】変更
【補正の内容】
【００５０】
設定されたＰＵＳＣＨ伝送に対し、上りグラントフリーに基づく初回伝送及び動的スケジューリングに基づく再送について、端末の再送には、第１設定フィールド内の、Ｔｙｐｅ１  ｇｒａｎｔ−ｆｒｅｅ及びＴｙｐｅ２  ｇｒａｎｔ−ｆｒｅｅに共有されるパラメータが用いられる。即ち、端末の再送には、第１設定フィールド内の、ｒｒｃ−ＣｏｎｆｉｇｕｒｅｄＵｐｌｉｎｋＧｒａｎｔ以外のパラメータが採用される一方、ｒｒｃ−ＣｏｎｆｉｇｕｒｅｄＵｐｌｉｎｋＧｒａｎｔに含まれるパラメータに対応し、端末の再送には、第２設定フィールド内のパラメータが採用される。
【手続補正３】
【補正対象書類名】明細書
【補正対象項目名】００６６
【補正方法】変更
【補正の内容】
【００６６】
具体的には、Ｍｓｇ３の波形は、ＲＲＣシグナリングＲＡＣＨ−ＣｏｎｆｉｇＣｏｍｍｏｎ内のパラメータｍｓｇ３−ｔｒａｎｓｆｏｒｍＰｒｅｃｏｄｉｎｇによって与えられる。動的スケジューリングのＰＵＳＣＨの波形は、ＲＲＣシグナリングＰＵＳＣＨ−Ｃｏｎｆｉｇ内のパラメータｔｒａｎｓｆｏｒｍＰｒｅｃｏｄｅｒによって与えられ、このパラメータが現れない場合、ｍｓｇ３の波形が使用される。このパラメータが現れており且つ「イネーブルｅｎａｂｌｅｄ」である場合、変換プリコーディングｔｒａｎｓｆｏｒｍ  ｐｒｅｃｏｄｉｎｇが使用される。このパラメータが現れており且つ「無効化ｄｉｓａｂｌｅｄ」である場合、ｔｒａｎｓｆｏｒｍ  ｐｒｅｃｏｄｉｎｇは、使用されない。
【国際調査報告】
2021532705.tif 000008
2021532705.tif 000009
2021532705.tif 000010
2021532705.tif 000011